(57)【要約】【課題】業務用の電飾看板などに用いられる照明付き表示装置において、その製造コストを大幅に削減する。【解決手段】この照明付き表示装置１では、複数の透明なアクリル樹脂板２が所定の配置間隔を置いて互いに平行に配置されている。各アクリル樹脂板２にはそれぞれ、互いに異なる情報を有する表示部４が形成されている。各アクリル樹脂板２の端縁にはそれぞれ発光ダイオードモジュールが、その発光ダイオード７からの出射光がアクリル樹脂板２内を進行して表示部４を照明して情報を浮かび上がらせうるように配設されている。各発光ダイオードモジュールの発光ダイオード７を点滅するように制御する点滅器１０が設けられている。これにより、発光ダイオード７の使用個数を桁違いに減らすことができ、照明付き表示装置１の製造コストが大幅に削減される。【選択図】図２
2012234033.tif 000002
【特許請求の範囲】
【請求項１】
複数の透明な導光板が所定の配置間隔を置いて互いに平行に配置され、
前記各導光板にそれぞれ、互いに異なる情報を有する表示部が形成され、
前記各導光板の端縁にそれぞれ光源モジュールが、当該光源モジュールの発光素子からの出射光が当該導光板内を進行して前記表示部を照明して情報を浮かび上がらせうるように配設され、
前記各光源モジュールの前記発光素子を点滅するように制御する制御手段が設けられていることを特徴とする照明付き表示装置。
【請求項２】
前記表示部は、その情報の一部または全部が前記導光板ごとに異なる位置に設定され、
前記制御手段は、前記複数の導光板に順序付けを行い、これら導光板において前記光源モジュールの前記発光素子を順次点滅することにより、これらの導光板の前記表示部が連携して一連の動きを表現するように制御することを特徴とする請求項１に記載の照明付き表示装置。
【請求項３】
前記各光源モジュールが取り付けられるフレームをそれぞれ有し、
前記各導光板は、前記各フレームに対して着脱自在に取り付けられていることを特徴とする請求項１または２に記載の照明付き表示装置。
【請求項４】
前記光源モジュールは、回路基板に前記発光素子として発光ダイオードが実装された発光ダイオードモジュールであることを特徴とする請求項１乃至３のいずれかに記載の照明付き表示装置。
【請求項５】
前記導光板は、アクリル樹脂板であることを特徴とする請求項１乃至４のいずれかに記載の照明付き表示装置。
【発明の詳細な説明】
【技術分野】
【０００１】
本発明は、業務用の電飾看板などの用途に適用するのに好適な照明付き表示装置に関するものである。
【背景技術】
【０００２】
近年の省エネルギーの流れを受けて、この種の照明付き表示装置としては、消費電力が少なくて長寿命の発光ダイオード（ＬＥＤ）を発光素子として用いたものが普及しつつある（例えば、特許文献１参照）。その一例として、表示パネルの全面に多数の発光ダイオードをマトリックス状に配列し、これらの発光ダイオードのうち特定の発光ダイオードを適宜点灯することにより、様々なイメージ（文字、符号、絵柄など）を表現しうるように構成されたものが広く用いられている。
【先行技術文献】
【特許文献】
【０００３】
【特許文献１】特開２００５−３４５５３９号公報
【発明の概要】
【発明が解決しようとする課題】
【０００４】
しかしながら、これでは、高価な発光ダイオードを多数使用しなければならないため、必然的に照明付き表示装置の製造コストが高騰するという課題があった。
【０００５】
本発明は、このような事情に鑑み、製造コストを大幅に削減することが可能な照明付き表示装置を提供することを目的とする。
【課題を解決するための手段】
【０００６】
かかる目的を達成するため、本発明者は、発光素子の使用個数を減らせるような構成を採用することに着目し、本発明を完成するに至った。
【０００７】
すなわち、請求項１に記載の発明は、複数の透明な導光板が所定の配置間隔を置いて互いに平行に配置され、前記各導光板にそれぞれ、互いに異なる情報を有する表示部が形成され、前記各導光板の端縁にそれぞれ光源モジュールが、当該光源モジュールの発光素子からの出射光が当該導光板内を進行して前記表示部を照明して情報を浮かび上がらせうるように配設され、前記各光源モジュールの前記発光素子を点滅するように制御する制御手段が設けられている照明付き表示装置としたことを特徴とする。
【０００８】
また、請求項２に記載の発明は、請求項１に記載の構成に加え、前記表示部は、その情報の一部または全部が前記導光板ごとに異なる位置に設定され、前記制御手段は、前記複数の導光板に順序付けを行い、これら導光板において前記光源モジュールの前記発光素子を順次点滅することにより、これらの導光板の前記表示部が連携して一連の動きを表現するように制御することを特徴とする。
【０００９】
また、請求項３に記載の発明は、請求項１または２に記載の構成に加え、前記各光源モジュールが取り付けられるフレームをそれぞれ有し、前記各導光板は、前記各フレームに対して着脱自在に取り付けられていることを特徴とする。
【００１０】
また、請求項４に記載の発明は、請求項１乃至３のいずれかに記載の構成に加え、前記光源モジュールは、回路基板に前記発光素子として発光ダイオードが実装された発光ダイオードモジュールであることを特徴とする。
【００１１】
さらに、請求項５に記載の発明は、請求項１乃至４のいずれかに記載の構成に加え、前記導光板は、アクリル樹脂板であることを特徴とする。
【発明の効果】
【００１２】
請求項１に記載の発明によれば、発光素子の使用個数を桁違いに減らすことができるため、照明付き表示装置の製造コストを大幅に削減することが可能となる。
【００１３】
請求項２に記載の発明によれば、複数の表示部が連携して一連の動きを表現することができるため、これらの表示部の情報の視認性を向上させることが可能となる。
【００１４】
請求項３に記載の発明によれば、表示部に様々な情報が表示された複数の導光板を用意しておき、必要に応じて導光板を交換することにより、照明付き表示装置で様々な情報を簡単に表示することが可能となる。
【図面の簡単な説明】
【００１５】
【図１】本発明の実施の形態１に係る照明付き表示装置の組立斜視図である。
【図２】同実施の形態１に係る照明付き表示装置の分解斜視図である。
【図３】同実施の形態１に係る照明付き表示装置を示す図であって、（ａ）はその水平断面図、（ｂ）は（ａ）のＢ部分の拡大図である。
【図４】本発明の実施の形態２に係る照明付き表示装置の分解斜視図である。
【図５】本発明の実施の形態３に係る照明付き表示装置の使用状態図である。
【図６】同実施の形態３に係る照明付き表示装置の分解斜視図である。
【発明を実施するための形態】
【００１６】
以下、本発明の実施の形態について説明する。
［発明の実施の形態１］
【００１７】
図１乃至図３には、本発明の実施の形態１を示す。この実施の形態１では、導光板の一例としてアクリル樹脂板２を用い、光源モジュールの一例として発光ダイオードモジュール５を用い、発光素子の一例として発光ダイオード７を用い、制御手段の一例として点滅器１０を用いている。なお、図１においては、点滅器１０およびリード線１５の図示を省いている。
【００１８】
実施の形態１に係る照明付き表示装置１は、各種のサービスを提供する店舗（例えば、理髪店、飲食店など）の店先で使用するのに適したもので、図１乃至図３に示すように、３枚の表示パネル９（９Ａ、９Ｂ、９Ｃ）を有している。各表示パネル９はそれぞれ、縦長の長方形板状の透明なアクリル樹脂板２と、このアクリル樹脂板２の左右両側に固定された略Ｈ字断面形のアルミニウム製のフレーム３と、このフレーム３に取り付けられた発光ダイオードモジュール５とを備えている。
【００１９】
ここで、各アクリル樹脂板２はそれぞれ、図２および図３に示すように、所定の大きさ（例えば、縦５００ｍｍ、横３００ｍｍ、厚さ５ｍｍ）に形成されており、これら３枚のアクリル樹脂板２は、２ｍｍ以上の配置間隔Ｄ１を置いて互いに平行に配置されている。
【００２０】
また、各アクリル樹脂板２にはそれぞれ、図２に示すように、互いに異なる情報を有する表示部４が形成されている。すなわち、３枚の表示パネル９のうち、一番前方（図３下方）に位置する表示パネル９Ａのアクリル樹脂板２には、その表示部４に「只今の待ち時間１０分」という情報が表示されており、その後方（つまり、中央）に位置する表示パネル９Ｂのアクリル樹脂板２には、その表示部４に「あと少しお待ち下さい２０分」という情報が表示されており、さらに、その後方（つまり、一番後方）に位置する表示パネル９Ｃのアクリル樹脂板２には、その表示部４に「しばらくお待ち下さい３０分」という情報が表示されている。
【００２１】
なお、これらの表示部４は、アクリル樹脂板２の背面に円錐状凹部またはＶ溝を加工することによって情報を形成しており、後述する複数の発光ダイオード７からの出射光を乱反射して情報を浮かび上がらせるように構成されている。例えば、表示パネル９Ａのアクリル樹脂板２では、図２に示すように、表示部４に表示された情報のうち「１０」が円錐状凹部によって形成されているとともに、それ以外の情報がＶ溝によって形成されている。また、表示パネル９Ｂのアクリル樹脂板２では、表示部４に表示された情報のうち「２０」が円錐状凹部によって形成されているとともに、それ以外の情報がＶ溝によって形成されている。さらに、表示パネル９Ｃのアクリル樹脂板２では、表示部４に表示された情報のうち「３０」が円錐状凹部によって形成されているとともに、それ以外の情報がＶ溝によって形成されている。
【００２２】
また、各表示パネル９においては、図２および図３に示すように、アクリル樹脂板２の左右両側にそれぞれフレーム３が固定されている。各フレーム３にはそれぞれ、発光ダイオードモジュール５が取り付けられており、各発光ダイオードモジュール５はそれぞれ、回路基板６と、この回路基板６上に等間隔で実装された複数の発光ダイオード７と、入力端子８とを備えている。なお、３枚の表示パネル９に装備された発光ダイオード７の発光色は、すべて同一の色（例えば、白色）であってもよく、３枚のうち２枚の表示パネル９のみが共通していてもよく、すべて異なる３色（例えば、白色、赤色、青色）であってもよい。なお、発光ダイオード７の出射面からフレーム３の先端までは、１０ｍｍ以上の距離Ｄ２が確保されている。
【００２３】
そして、３個の発光ダイオードモジュール５の入力端子８には、図２に示すように、３組のリード線１５を介して点滅器１０が接続されており、点滅器１０は、プリント基板１１と、このプリント基板１１上に実装されたＩＣチップ１２と、プリント基板１１上に取り付けられた給電端子１３および出力端子１４とを備えている。なお、この出力端子１４には、３組のリード線１５が接続されている。
【００２４】
また、３枚の表示パネル９には、図１乃至図３に示すように、上下両側に金属製の外装カバー１６が嵌着されているとともに、左右両側に金属製の外装カバー１７が３本のフレーム３を覆い隠すように嵌着されている。さらに、３枚の表示パネル９の後方には、図２および図３に示すように、硬質樹脂製の背面板１８が４つの外装カバー１６、１７に接触して取り付けられている。
【００２５】
照明付き表示装置１は以上のような構成を有するので、この照明付き表示装置１を使用する際には、電圧１２Ｖの直流電源などの電源（図示せず）を点滅器１０の給電端子１３に接続した後、以下に述べるとおり、照明付き表示装置１に明示すべき情報に応じて点滅器１０を適宜操作する。
【００２６】
まず、３枚の表示パネル９のうち、一番前方に位置する表示パネル９Ａのアクリル樹脂板２の表示部４に表示された情報「只今の待ち時間１０分」を明示しようとするときには、その旨をＩＣチップ１２に指令する。この指令を受けて、ＩＣチップ１２は、この表示パネル９Ａの発光ダイオードモジュール５に通電する。なお、他の２枚の表示パネル９Ｂ、９Ｃにおいては、発光ダイオードモジュール５への通電は行われない。
【００２７】
すると、この表示パネル９Ａにおいて、発光ダイオードモジュール５の複数の発光ダイオード７がすべて点灯され、これらの発光ダイオード７からの出射光がアクリル樹脂板２内を横方向（水平方向）に進行し、アクリル樹脂板２の表示部４を照明する。その結果、この表示部４に表示された情報「只今の待ち時間１０分」が浮かび上がり、この情報を照明付き表示装置１の前方（図３下方）から視認することが可能となる。
【００２８】
また、３枚の表示パネル９のうち、中央に位置する表示パネル９Ｂの表示部４に表示された情報「あと少しお待ち下さい２０分」を明示しようとするときには、その旨をＩＣチップ１２に指令する。この指令を受けて、ＩＣチップ１２は、この表示パネル９Ｂの発光ダイオードモジュール５に通電する。なお、他の２枚の表示パネル９Ｃ、９Ａにおいては、発光ダイオードモジュール５への通電は行われない。
【００２９】
すると、この表示パネル９Ｂにおいて、発光ダイオードモジュール５の複数の発光ダイオード７がすべて点灯され、これらの発光ダイオード７からの出射光がアクリル樹脂板２内を横方向に進行し、アクリル樹脂板２の表示部４を照明する。その結果、この表示部４に表示された情報「あと少しお待ち下さい２０分」が浮かび上がり、この情報を照明付き表示装置１の前方から視認することが可能となる。
【００３０】
このとき、中央に位置する表示パネル９Ｂの手前には表示パネル９Ａがあるが、この表示パネル９Ａのアクリル樹脂板２は透明であるので、表示パネル９Ｂのアクリル樹脂板２の表示部４に表示された情報「あと少しお待ち下さい２０分」は、この表示パネル９Ａのアクリル樹脂板２を透過して照明付き表示装置１の前方から支障なく見ることができる。
【００３１】
さらに、３枚の表示パネル９のうち、一番後方に位置する表示パネル９Ｃの表示部４に表示された情報「しばらくお待ち下さい３０分」を明示しようとするときには、その旨をＩＣチップ１２に指令する。この指令を受けて、ＩＣチップ１２は、この表示パネル９Ｃの発光ダイオードモジュール５に通電する。なお、他の２枚の表示パネル９Ａ、９Ｂにおいては、発光ダイオードモジュール５への通電は行われない。
【００３２】
すると、この表示パネル９Ｃにおいて、発光ダイオードモジュール５の複数の発光ダイオード７がすべて点灯され、これらの発光ダイオード７からの出射光がアクリル樹脂板２内を横方向に進行し、アクリル樹脂板２の表示部４を照明する。その結果、この表示部４に表示された情報「しばらくお待ち下さい３０分」が浮かび上がり、この情報を照明付き表示装置１の前方から視認することが可能となる。
【００３３】
このとき、一番後方に位置する表示パネル９Ｃの手前には２枚の表示パネル９Ａ、９Ｂがあるが、これらの表示パネル９Ａ、９Ｂのアクリル樹脂板２はいずれも透明であるので、表示パネル９Ｃのアクリル樹脂板２の表示部４に表示された情報「しばらくお待ち下さい３０分」は、これらの表示パネル９Ａ、９Ｂのアクリル樹脂板２を透過して照明付き表示装置１の前方から支障なく見ることができる。
【００３４】
このように、この照明付き表示装置１を使用すれば、３枚の表示パネル９の表示部４に表示された３種類の情報、つまり「只今の待ち時間１０分」「あと少しお待ち下さい２０分」「しばらくお待ち下さい３０分」のうち任意の情報を明示することができる。したがって、照明付き表示装置１を正面から視認している状態で、１つの画面上に異なる情報を簡単に表示させることが可能となる。
【００３５】
しかも、この照明付き表示装置１では、表示パネル９の全面に多数の発光ダイオードをマトリックス状に配列した従来の照明付き表示装置に比べて、発光ダイオード７の使用個数を桁違いに減らすことができるため、照明付き表示装置１の製造コストを大幅に削減することが可能となる。
【００３６】
また、３枚のアクリル樹脂板２の配置間隔Ｄ１は、上述したとおり、２ｍｍ以上であるため、アクリル樹脂板２の厚薄とは無関係に、３枚の表示パネル９の発光ダイオード７からの出射光が混色する事態を未然に防止することができる。すなわち、３枚の表示パネル９のうち、任意の表示パネル９の発光ダイオード７からの出射光が、その隣の表示パネル９のアクリル樹脂板２にまで達する現象は生じない。したがって、照明付き表示装置１に明示すべき情報と異なる情報が浮かび上がってしまう不都合を回避することができる。
【００３７】
さらに、発光ダイオード７の出射面からフレーム３の先端までの距離Ｄ２は、上述したとおり、１０ｍｍ以上であるため、発光ダイオード７からアクリル樹脂板２内に入射した光をアクリル樹脂板２の表裏面（界面）でほぼ全反射させることができる。その結果、この光がアクリル樹脂板２の表裏面から外部へ漏れる無駄を減らし、アクリル樹脂板２の照度を確保することが可能となる。
［発明の実施の形態２］
【００３８】
図４には、本発明の実施の形態２を示す。なお、図４においては、点滅器１０およびリード線１５の図示を省いている。
【００３９】
実施の形態２に係る照明付き表示装置１は、各種の小売店（例えば、スーパーマーケットやブティックなど）の店先において、複数の情報を連続的に切り替えて表示させるのに適したもので、図４に示すように、各表示パネル９において、アクリル樹脂板２が横長の長方形板状である。また、これに対応して、発光ダイオード７は、アクリル樹脂板２の上下両側に、その出射光がアクリル樹脂板２内を縦方向（上下方向）に進行するように取り付けられているとともに、発光色が表示パネル９ごとに異なる３色（例えば、白色、赤色、青色）になっている。さらに、３枚の表示パネル９のうち、一番前方に位置する表示パネル９Ａのアクリル樹脂板２には、その表示部４に「営業中」という情報が表示されており、その後方（つまり、中央）に位置する表示パネル９Ｂのアクリル樹脂板２には、その表示部４に「本日特売日」という情報が表示されており、さらに、その後方（つまり、一番後方）に位置する表示パネル９Ｃのアクリル樹脂板２には、その表示部４に「全品２０％ＯＦＦ」という情報が表示されている。その他の構成については、上述した実施の形態１と同じ構成を有している。なお、実施の形態１と同一の部材については、同一の符号を付してその説明を省略する。
【００４０】
したがって、この実施の形態２では、上述した実施の形態１と同じ作用効果を奏する。これに加えて、実施の形態２では、横長の長方形板状のアクリル樹脂板２の上下両側（つまり、この長方形の２つの長辺）に複数の発光ダイオード７が出射光をアクリル樹脂板２内を縦方向（つまり、この長方形の短辺方向）に進行させるように配置されている。そのため、発光ダイオード７の照光時の減衰を最小限に抑えて、アクリル樹脂板２の照度を確保することができる。また、照明付き表示装置１は、発光ダイオード７の発光色が表示パネル９ごとに異なっているため、カラフルな情報を発信することができる。
［発明の実施の形態３］
【００４１】
図５および図６には、本発明の実施の形態３を示す。なお、図５、図６においては、点滅器１０およびリード線１５の図示を省いている。
【００４２】
実施の形態３に係る照明付き表示装置１は、図５に示すように、Ａ型スタンド（支持枠）１９に搭載した状態で道路工事現場に設置してＡ型看板として使用するのに適したもので、３枚の表示パネル９の表示部４が連携して一連の動き（ここでは、表示部４に表示された複数の矢印２０の連続的な動き）を表現することができるようになっている。
【００４３】
すなわち、この照明付き表示装置１では、図６に示すように、３枚の表示パネル９のうち、一番前方に位置する表示パネル９Ａのアクリル樹脂板２には、その表示部４に、「片側通行」「注意」「工事中」という３情報が表示されているとともに、クランク状の道路に複数の矢印２０が連続的に書き込まれた情報が表示されている。また、その後方（つまり、中央）に位置する表示パネル９Ｂのアクリル樹脂板２には、その表示部４に、クランク状の道路に複数の矢印２０が連続的に書き込まれた情報が表示されており、これらの矢印２０は、表示パネル９Ａのアクリル樹脂板２上の矢印２０より少し前進した状態を表している。さらに、その後方（つまり、一番後方）に位置する表示パネル９Ｃのアクリル樹脂板２には、その表示部４に、「片側通行」という情報が表示されているとともに、クランク状の道路に複数の矢印２０が連続的に書き込まれた情報が表示されており、これらの矢印２０は、表示パネル９Ｂのアクリル樹脂板２上の矢印２０よりさらに少し前進した状態を表している。そのため、３枚の表示パネル９Ａ、９Ｂ、９Ｃにおいて、その発光ダイオード７を順次点滅すれば、これらの表示パネル９Ａ、９Ｂ、９Ｃのアクリル樹脂板２上の矢印２０が前進するように視認されることになる。
【００４４】
その他の構成については、上述した実施の形態１と同じ構成を有している。なお、実施の形態１と同一の部材については、同一の符号を付してその説明を省略する。
【００４５】
したがって、この実施の形態３では、上述した実施の形態１と同じ作用効果を奏する。これに加えて、実施の形態３では、上述したとおり、３枚の表示パネル９の表示部４が連携して一連の動き（矢印２０の動き）を表現することができるため、これらの表示部４に表示された情報の視認性が向上する。その結果、車両運転者や歩行者に注意を喚起することができ、通行時の安全性を高めることが可能となる。
［発明のその他の実施の形態］
【００４６】
なお、上述した実施の形態１〜３では、各表示パネル９において、アクリル樹脂板２の左右両側または上下両側に配置した複数の発光ダイオード７を同時に点灯させる場合について説明した。しかし、任意の表示パネル９において、これらの発光ダイオード７を複数のグループに組分けし、グループごとに発光ダイオード７を独立して点灯させるようにしてもよい。
【００４７】
また、上述した実施の形態１、３では、各表示パネル９において、アクリル樹脂板２の左右両側にそれぞれ同一の発光色の発光ダイオード７が設けられた照明付き表示装置１について説明した。しかし、アクリル樹脂板２の左右で異なる発光色の発光ダイオード７を設けておき、状況に応じて左右いずれか一方の発光ダイオード７を切り替えて発光させるようにしても構わない。
【００４８】
また、上述した実施の形態２では、各表示パネル９において、アクリル樹脂板２の上下両側にそれぞれ同一の発光色の発光ダイオード７が設けられた照明付き表示装置１について説明した。しかし、アクリル樹脂板２の上下で異なる発光色の発光ダイオード７を設けておき、状況に応じて上下いずれか一方の発光ダイオード７を切り替えて発光させるようにしても構わない。
【００４９】
また、上述した実施の形態１、３では、各表示パネル９において、アクリル樹脂板２の左右両側にそれぞれ発光ダイオードモジュール５が配設された照明付き表示装置１について説明したが、アクリル樹脂板２の左右いずれか片側に発光ダイオードモジュール５を配設してもよい。この場合、アクリル樹脂板２の左右両側に発光ダイオードモジュール５を配設する場合に比べて、発光ダイオード７の使用個数が半減するため、照明付き表示装置１の製造コストをますます削減することが可能となる。
【００５０】
また、上述した実施の形態２では、各表示パネル９において、アクリル樹脂板２の上下両側にそれぞれ発光ダイオードモジュール５が配設された照明付き表示装置１について説明したが、アクリル樹脂板２の上下いずれか片側に発光ダイオードモジュール５を配設してもよい。この場合、アクリル樹脂板２の上下両側に発光ダイオードモジュール５を配設する場合に比べて、発光ダイオード７の使用個数が半減するため、照明付き表示装置１の製造コストをますます削減することが可能となる。
【００５１】
また、上述した実施の形態１〜３では、使用中のいずれの時刻においても、３枚の表示パネル９のうち、いずれか１枚の表示パネル９の情報のみを浮かび上がらせる場合について説明した。しかし、２枚または３枚の表示パネル９の情報を同時に浮かび上がらせるようにしても構わない。
【００５２】
また、上述した実施の形態１〜３では、３枚の表示パネル９を有する照明付き表示装置１について説明した。しかし、表示パネル９の枚数は３枚に限るわけではなく、２枚または４枚以上の表示パネル９を有する照明付き表示装置１に本発明を同様に適用することも可能である。
【００５３】
また、上述した実施の形態１〜３では、アクリル樹脂板２とフレーム３とが固定された表示パネル９について説明した。しかし、各表示パネル９において、アクリル樹脂板２をフレーム３に対して着脱自在に取り付けても構わない。この場合、表示部４に様々な情報が表示された複数のアクリル樹脂板２を用意しておき、必要に応じてアクリル樹脂板２を交換することにより、照明付き表示装置１で様々な情報を簡単に表示することが可能となる。
【００５４】
また、上述した実施の形態１〜３では、導光板としてアクリル樹脂板２を用いる場合について説明したが、表示部４を形成しうる透明なものである限り、アクリル樹脂板２以外の導光板（例えば、ガラス板など）を代用することもできる。
【００５５】
また、上述した実施の形態１〜３では、発光素子として発光ダイオード７を用いる場合について説明した。しかし、点滅器１０からの指令に応答して瞬間的に点滅可能なものである限り、発光ダイオード７以外の発光素子（例えば、陰極管、プラズマランプなど）を代用または併用することも可能である。
【００５６】
また、上述した実施の形態１〜３では、照明付き表示装置１の使用に際して、作業者が点滅器１０を操作して表示パネル９の点滅状況（どの表示パネル９の発光ダイオードモジュール５に通電するか）を切り替える場合について説明した。しかし、例えば、駐車場において、空車状況をセンサで検知して点滅器１０に出力し、この空車状況に基づいてＩＣチップ１２が表示パネル９の点滅状況を切り替えるようにしてもよい。
【００５７】
さらに、上述した実施の形態３では、３枚の表示パネル９の表示部４が連携することにより、表示部４に表示された情報の一部（具体的には、矢印２０）を動かして一連の動きを表現することができる照明付き表示装置１について説明したが、表示部４に表示された情報の一部ではなく全部を動かして一連の動きを表現するようにしても構わない。
【産業上の利用可能性】
【００５８】
本発明は、業務用の電飾看板、袖看板（ファサードサイン）、壁面看板、道路工事用の予告板、ガソリンスタンドの料金表示板など各種の看板に広く適用することができる。
【符号の説明】
【００５９】
１……照明付き表示装置
２……アクリル樹脂板（導光板）
３……フレーム
４……表示部
５……発光ダイオードモジュール（光源モジュール）
６……回路基板
７……発光ダイオード（発光素子）
８……入力端子
９、９Ａ、９Ｂ、９Ｃ……表示パネル
１０……点滅器（制御手段）
１１……プリント基板
１２……ＩＣチップ
１３……給電端子
１４……出力端子
１５……リード線
１６、１７……外装カバー
１８……背面板
１９……Ａ型スタンド
２０……矢印
Ｄ１……配置間隔
【図１】
2012234033.tif 000003
【図２】
2012234033.tif 000004
【図３】
2012234033.tif 000005
【図４】
2012234033.tif 000006
【図５】
2012234033.tif 000007
【図６】
2012234033.tif 000008